(57)【要約】【課題】鋏を自由に移動でき、かつ安定した研磨が可能な鋏研磨機用ホルダを提供する。【解決手段】回転する円形の研磨板５２を備えた研磨機に取り付け、研磨板５２の上面に接触するように鋏１を保持する鋏研磨機用ホルダにおいて、研磨機への取付部から第１リンク１１、第２リンク１２及び第３リンク１３を前後に揺動するように回動自在に順次結合し、第３リンク１３の自由端側に鋏１を刃身２の刃の研磨角度に応じて幅方向に所定角度傾斜させた状態で固定する固定具１４を設ける。第１乃至第３リンク１１，１２，１３の相互の揺動に伴い、鋏１を研磨板５２に対して前後方向に移動させて研磨すると、固定具１４により刃の研磨角度を一定に維持しつつ、刃線３の微妙な曲率の変化に対応した研磨が可能となる。【選択図】図１
2005262422.tif 000002
【特許請求の範囲】
【請求項１】
回転する円形の研磨板を備えた研磨機に取り付け、研磨板の上面に接触するように鋏を保持する鋏研磨機用ホルダにおいて、研磨機への取付部から第１リンク、第２リンク及び第３リンクを前後に揺動するように回動自在に順次結合し、第３リンクの自由端側に鋏を刃の研磨角度に応じて幅方向に所定角度傾斜させた状態で固定する固定具を設け、第１乃至第３リンクの相互の揺動に伴い、鋏が研磨板に対して前後方向に移動するようにしたことを特徴とする鋏研磨機用ホルダ。
【請求項２】
前記第１リンクの固定端を、左右方向に延び上下に揺動するレバー部材の一端に回動自在に結合し、第１乃至第３リンクと共に、鋏が左右方向に弧を描いて移動するようにしたことを特徴とする請求項１に記載の鋏研磨機用ホルダ。
【請求項３】
前記固定具から鋏の先端側へ向けて指掛部材を延出し、この指掛部材に、鋏の先端側に当接して、その振れを抑制する突片を設けたことを特徴とする請求項１又は２に記載の鋏研磨機用ホルダ。
【発明の詳細な説明】
【技術分野】
【０００１】
この発明は、鋏の刃を研ぐ装置に取り付けて鋏を保持し、刃の研磨作業を補助するホルダに関するものである。
【背景技術】
【０００２】
従来、鋏研磨機に取り付けて鋏を保持するホルダとして、図６に示すようなものが知られている（下記特許文献１参照）。このホルダは、平行クランク機構４１を応用し、リンク４２の下端部の固定具４３に取り付けた分解状態の鋏１を、鋏研磨機の機台５１に内蔵したモータで回転する円形の研磨板５２の上面に対して、平行状態を維持しながら前後方向に移動させる構成となっている。
【０００３】
このホルダでは、リンク４２と固定具４３の連結点の位置を僅かにずらすことにより、鋏１を前後方向に曲線を描くように移動させて、鋏１の刃身２に形成する刃を、刃線３が刃元から刃先へかけて弓なりに湾曲したいわゆる柳刃の形状に仕上げることもできる。
【特許文献１】特開平９−１７４３９７号公報
【発明の開示】
【発明が解決しようとする課題】
【０００４】
しかしながら、上記のようなホルダでは、鋏１の移動軌跡が制約されることから、刃線３の微妙な曲率の変化に対応することができず、鋏の研磨にある程度熟練した人にとっては、かえって研ぎにくく感じることがある。
【０００５】
そこで、この発明は、鋏の移動の自由度が高く、かつ安定した研磨が可能な鋏研磨機用ホルダを提供することを課題とする。
【課題を解決するための手段】
【０００６】
上記のような課題を解決するため、この発明は、回転する円形の研磨板を備えた研磨機に取り付け、研磨板の上面に接触するように鋏を保持する鋏研磨機用ホルダにおいて、研磨機への取付部から第１リンク、第２リンク及び第３リンクを前後に揺動するように回動自在に順次結合し、第３リンクの自由端側に鋏を刃の研磨角度に応じて幅方向に所定角度傾斜させた状態で固定する固定具を設け、第１乃至第３リンクの相互の揺動に伴い、鋏が研磨板に対して前後方向に移動するようにしたのである。
【０００７】
また、前記第１リンクの固定端を、左右方向に延び上下に揺動するレバー部材の一端に回動自在に結合し、第１乃至第３リンクと共に、鋏が左右方向に弧を描いて移動するようにし、鋏の移動の自由度を高めたのである。
【０００８】
さらに、前記固定具から鋏の先端側へ向けて指掛部材を延出し、この指掛部材の先端部に、鋏の先端側に当接して、その振れを抑制する突片を設けたのである。
【発明の効果】
【０００９】
上記のようなホルダでは、鋏を固定具で所定角度に固定しつつ、前後方向に移動させるので、刃の研磨角度が一定に維持され、第１乃至第３リンクの揺動に伴い、刃線が自由な軌跡を描くように鋏を前後方向へ移動させることができ、刃線の微妙な曲率の変化に対応した研磨が可能となる。
【００１０】
また、前記第１リンクの固定端を、左右に揺動するレバー部材の一端に回動自在に結合し、第１乃至第３リンクと共に、鋏が左右方向に弧を描いて移動するようにすると、刃を峰側から刃線へ向けて弓なりに湾曲した蛤刃に仕上げることも可能となる。
【００１１】
さらに、前記固定具から鋏の先端側へ向けて指掛部材を延出し、この指掛部材に、鋏の先端側に当接して、その振れを抑制する突片を設けると、鋏を安定した状態で意図する軌跡を描くように移動させることができる。
【発明を実施するための最良の形態】
【００１２】
以下、この発明の実施の形態を添付図面に基づいて説明する。
【００１３】
図１に示す研磨機は、機台５１に内蔵したモータで回転する円盤５３の上面に、研磨板５２として円形のペーパーを固定したものである。この研磨機の機台５１には、粉塵の飛散防止壁５４が取り付けられ、その後部には支柱５５が立設されている。そして、この支柱５５に鋏１を保持するホルダが取り付けられる。
【００１４】
このホルダは、左右方向に延びるレバー部材２１を上下に揺動するように支柱５５に取り付け、レバー部材２１の一端に、第１リンク１１、第２リンク１２及び第３リンク１３を前後に揺動するように回動自在に順次結合し、第３リンク１３の自由端側に鋏１を固定する固定具１４を設けたものとなっている。
【００１５】
レバー部材２１は、支柱５５に前後方向の軸２２を介して回動自在に支持され、レバー部材２１の他端部はハンドル部２３とされている。また、レバー部材２１には、軸２２を中心とする弧状の長穴２４が設けられ、この長穴２４及び支柱５５を貫通する固定ねじ２５を締め付けると、レバー部材２１は所定の角度に固定される。
【００１６】
レバー部材２１の一端部は前方へ屈曲し、その屈曲部に第１リンク１１の固定端となる一端を結合する左右方向の軸２６が挿通されている。第１リンク１１の他端と第２リンク１２の一端、第２リンク１２の他端と第３リンク１３の一端は、それぞれ左右方向の軸１５，１６によりそれぞれ結合され、第３リンク１３の他端が自由端となっている。
【００１７】
固定具１４には、分解した鋏１のヒンジ部付近を刃の研磨角度に応じて幅方向に所定角度傾斜させた状態で挿入する差込溝１７が形成され、この鋏１は、固定具１４にねじ込んだ固定ねじ１８で固定される。
【００１８】
また、固定具１４には、後方すなわち鋏１の先端側へ向けて、棒状の指掛部材１９が取り付けられ、この指掛部材１９の先端部には、傾斜した端縁が鋏１の先端側部分に当接して、その振れを抑制する突片２０が下向きに設けられている。
【００１９】
このようなホルダを備えた研磨機で鋏１を研ぐには、固定具１４に鋏１を取り付けて、研磨板５２を載せた円盤５３を回転させる。そして、固定具１４を握り、指掛部材１９に指を添え、図２に示すように、第１乃至第３リンク１１，１２，１３の揺動に伴い、鋏１の刃身２を刃元側から研磨板５２に押し当てて手前に引き、一旦持ち上げて後方へ戻す動作を繰り返す。
【００２０】
このとき、上記ホルダでは、鋏１を固定具１４で所定角度に固定しつつ、前後方向に移動させるので、刃の研磨角度が一定に維持され、第１乃至第３リンク１１，１２，１３の相対回転に伴い、刃線３が自由な軌跡を描くように鋏１を前後方向へ移動させることができ、刃線３の微妙な曲率の変化に対応した研磨が可能となる。
【００２１】
また、鋏１の先端側部分に当接する突片２０を備えた指掛部材１９に指を添えているので、刃身２を指で直接押さえなくても、鋏１を安定した状態で意図する軌跡を描くように移動させることができる。
【００２２】
さらに、このホルダでは、図３に示すように、固定ねじ２５を緩めて、ハンドル部２３に手を掛け、レバー部材２１を上下に揺動させると、第１乃至第３リンク１１，１２，１３と共に、鋏１が左右方向に弧を描いて移動するので、刃を峰側から刃線へ向けて弓なりに湾曲した蛤刃に仕上げることもできる。
【００２３】
ところで、上記ホルダは、図４に示すように、研磨板５２として円環状の砥石を用いた研磨機にも使用できる。この研磨機では、水研ぎを行うため、研磨板５２の上方に水差し５６が設けられ、この水差し５６から研磨板５２に水が滴下される。研磨板５２の周囲には、スポンジから成る粉塵及び水滴の飛散防止壁５４が設けられている。
【００２４】
この研磨機に上記ホルダを取り付ける際には、図１の場合とは異なり、レバー部材２１を外して、機台５１にステー２７を手前に延びるように取り付け、このステー２７の前端部に、第１リンク１１の固定端を左右方向の軸２８を介して回動自在に結合する。
【００２５】
このようなホルダを備えた研磨機で鋏１を研ぐ場合には、固定具１４に鋏１を取り付けて、研磨板５２を回転させ、固定具１４を握り、指掛部材１９に指を添え、図５に示すように、第１乃至第３リンク１１，１２，１３の揺動に伴い、鋏１の刃身２を刃元側から研磨板５２に押し当てて手前に引き、一旦持ち上げて後方へ戻す動作を繰り返す。
【００２６】
この研磨に際しても、鋏１を固定具１４で所定角度に固定しつつ、前後方向に移動させるので、刃の研磨角度が一定に維持され、第１乃至第３リンク１１，１２，１３の相対回転に伴い、刃線３が自由な軌跡を描くように鋏１を前後方向へ移動させることができ、刃線３の微妙な曲率の変化に対応した研磨が可能となる。
【００２７】
また、鋏１の先端側部分に当接する突片２０を備えた指掛部材１９に指を添えているので、刃身２を指で直接押さえなくても、鋏１を安定した状態で意図する軌跡を描くように移動させることができる。
【００２８】
そして、このホルダは、図１及び図４に示すような汎用の電動式研磨機に取り付けて使用することができ、理髪店や一般家庭において、高価な鋏研ぎ専用の研磨機を使用した場合と比べても遜色のない仕上がりを手軽に得ることができる。
【図面の簡単な説明】
【００２９】
【図１】この発明に係るホルダの研磨機への取付例を示す斜視図
【図２】同上の通常の研磨状態を示す側面図
【図３】同上の蛤刃の研磨状態を示す正面図
【図４】この発明に係るホルダの他の研磨機への取付例を示す斜視図
【図５】同上の研磨状態を示す側面図
【図６】従来のホルダを備えた研磨機を示す側面図
【符号の説明】
【００３０】
１  鋏
２  刃身
３  刃線
１１  第１リンク
１２  第２リンク
１３  第３リンク
１４  固定具
１５，１６  軸
１７  差込溝
１８  固定ねじ
１９  指掛部材
２０  突片
２１  レバー部材
２２  軸
２３  ハンドル部
２４  長穴
２５  固定ねじ
２６  軸
２７  ステー
２８  軸
５１  機台
５２  研磨板
５３  円盤
５４  飛散防止壁
５５  支柱
【図１】
2005262422.tif 000003
【図２】
2005262422.tif 000004
【図３】
2005262422.tif 000005
【図４】
2005262422.tif 000006
【図５】
2005262422.tif 000007
【図６】
2005262422.tif 000008